(57)【要約】      （修正有）【課題】ソケット部を本体部に対して簡単且つ確実にロックすることが可能な非常停止用押釦スイッチを提供する。【解決手段】ソケット部７０は、本体ケース１１の小径筒部１３に外嵌すると共に４個のボール支持孔７５ｃを設けた円筒部７５ａを有するソケットケース７５と、各ボール支持孔７５ｃ内にてそれぞれ支持され、円筒部７５ａの厚さよりも大きい直径を有する４個のスチールボール７７と、ソケットケース７５の円筒部７５ａに摺動可能に外嵌する小径部７８ｃと内径が大きい大径部７８ｂとを有するソケットリング７８と、ソケットケース７５とソケットリング７８との間に介挿され、小径部７８ｃを各ボール支持孔７５ｃに対向させるように軸心方向上方へ付勢するソケットロックバネ７９とを備え、本体ケース１１は、ソケットケースの円筒部７５ａが外嵌したときに各スチールボール７７を係止する係止孔１３ｂを小径筒部１３の外周面に設けている。【選択図】図１
2008052957.tif 000002
【特許請求の範囲】
【請求項１】
本体ケースの一端側に押釦体をケース軸心方向に進退自在に設けると共に、複数の端子が配設された端子台を有するソケット部をその他端側に着脱可能に設け、その押釦体が後退した元位置にて複数の可動接点をそれぞれ対応する固定接点に対して第１バネにより弾接させる一方、その押釦体が押し込まれてその前進端位置で保持された状態にて前記可動接点を固定接点から開離させるようにしたスイッチ部を設け、さらに、前記前進端位置にて保持された前記押釦体を所定角度だけ回転させることによりその押釦体が第２バネによって元の後退位置に復帰するように構成された非常停止用押釦スイッチにおいて、
前記ソケット部は、
前記本体ケースの他端側に外嵌すると共に内外周を貫通する少なくとも１つの貫通孔を設けた筒部を有するソケットケースと、
そのソケットケースの前記各貫通孔内にてそれぞれ支持され、前記各貫通孔における前記筒部の厚さよりも大きい直径を有する少なくとも１つの球体と、
前記ソケットケースの前記筒部に摺動可能に外嵌する小径部とその小径部よりも内径が大きい大径部とを有するリング部材と、
前記ソケットケースとそれに外嵌する前記リング部材との間に介挿され、前記小径部を前記各貫通孔に対向させるように付勢するロックバネと
を備え、
前記本体ケースは、前記ソケットケースの前記筒部が外嵌したときに前記各球体を係止する凹状の係止部を他端側の外周面に設けたことを特徴とする非常停止用押釦スイッチ。
【請求項２】
前記ソケットケースの前記筒部に、前記貫通孔が複数個設けられたことを特徴とする請求項１に記載の非常停止用押釦スイッチ。
【請求項３】
前記ソケットケースの前記筒部に、前記貫通孔が周方向に等角度間隔で複数個設けられたことを特徴とする請求項２に記載の非常停止用押釦スイッチ。
【請求項４】
前記リング部材の外周面に、把持する際の滑り止めのための凹凸形状を設けたことを特徴とする請求項１乃至３のいずれかに記載の非常停止用押釦スイッチ。
【発明の詳細な説明】
【技術分野】
【０００１】
本発明は、様々な自動機械やプレス装置等の安全運転のために電気回路に使用される非常停止用押釦スイッチに関する。
【背景技術】
【０００２】
従来より、プレス装置等の機械の運転中に何らかの非常事態が発生した場合に、作業者が手で前記押釦体ｆを押すことにより運転を直ちに停止させる目的のために使用される電気部品として、各種の非常停止用押釦スイッチが提案されている（例えば、特許文献１乃至３参照。）。
【０００３】
ここで、従来の非常停止用押釦スイッチの一例について図１５を参照しつつ説明する。この押釦スイッチＳは、押釦体ｆの軸杆ｇをプラスチック製本体ケースａの大径筒部ｂから挿入して同ケースの軸心方向に進退自在に設けると共に、押釦体ｆが押し込まれた前進位置にて、軸杆ｇの弾性変形可能な係止片ｈを小径筒部ｃの内方に設けた突部ｄに係合させることによりその位置を保持させ、かつ、押釦体ｆを一方向へ一定角度だけ回転させることにより係止片ｈの後端面が突部ｄから外れて、当該押釦体ｆを復帰バネｅによって元の後退位置に復帰させるように設けられている。
【０００４】
上記大径筒部ｂの内方には、押釦体ｆが後退した通常状態の位置にて、導電片ｎに設けられた一対の可動接点ｏを固定接点ｒに対して与圧バネｔにより夫々弾接させ、押釦体ｆが前進端まで押し込まれる非常停止状態の場合に、導電片ｎが前進移動して可動接点ｏを固定接点ｒから開離させるように構成されたスイッチ部ｍを設けている。また、その小径筒部ｃ側には、固定接点ｒから延びる固定端子片ｐの先端部に挿入されて導通する複数の端子ｋが配設された端子台を有するソケット部ｊを着脱可能に設けている。
【特許文献１】特開２００３−１０９４５７号
【特許文献２】特開２００４−２３４９５０号
【特許文献３】特開２００５−２２２８５０号
【発明の開示】
【発明が解決しようとする課題】
【０００５】
しかしながら、上述した従来例の押釦スイッチＳにおいては、ソケット部ｊが本体ケースａの小径筒部ｃに外嵌して装着されているに過ぎないため、予期しない外力が加わることによってソケット部ｊが本体ケースａ側から離脱する可能性がある。また、小径筒部ｃとソケット部ｊとをネジ止めによって固定することも考えられるが、強固に締め付けを行わないとネジが弛む可能性があると共に、作業に手間がかかるという問題がある。
【０００６】
本発明は上述した問題点に鑑みてなされたものであり、ソケット部を本体部に対して簡単且つ確実にロックすることが可能な非常停止用押釦スイッチを提供することを目的とする。
【課題を解決するための手段】
【０００７】
以下、上記課題を解決するのに適した各手段につき、必要に応じて作用効果等を付記しつつ説明する。
【０００８】
１．本体ケースの一端側に押釦体をケース軸心方向に進退自在に設けると共に、複数の端子が配設された端子台を有するソケット部をその他端側に着脱可能に設け、その押釦体が後退した元位置にて複数の可動接点をそれぞれ対応する固定接点に対して第１バネにより弾接させる一方、その押釦体が押し込まれてその前進端位置で保持された状態にて前記可動接点を固定接点から開離させるようにしたスイッチ部を設け、さらに、前記前進端位置にて保持された前記押釦体を所定角度だけ回転させることによりその押釦体が第２バネによって元の後退位置に復帰するように構成された非常停止用押釦スイッチにおいて、
前記ソケット部は、
前記本体ケースの他端側に外嵌すると共に内外周を貫通する少なくとも１つの貫通孔を設けた筒部を有するソケットケースと、
そのソケットケースの前記各貫通孔内にてそれぞれ支持され、前記各貫通孔における前記筒部の厚さよりも大きい直径を有する少なくとも１つの球体と、
前記ソケットケースの前記筒部に摺動可能に外嵌する小径部とその小径部よりも内径が大きい大径部とを有するリング部材と、
前記ソケットケースとそれに外嵌する前記リング部材との間に介挿され、前記小径部を前記各貫通孔に対向させるように付勢するロックバネと
を備え、
前記本体ケースは、前記ソケットケースの前記筒部が外嵌したときに前記各球体を係止する凹状の係止部を他端側の外周面に設けたことを特徴とする非常停止用押釦スイッチ。
【０００９】
手段１によれば、ソケット部は、本体ケースに装着する前の状態において、ソケットケースの各貫通孔内にてそれぞれ支持された各球体が各貫通孔における筒部の厚さよりも大きい直径を有しており、ソケットケースに外嵌するリング部材は、ロックバネによって付勢されて小径部がソケットケースの筒部外周側で各貫通孔に対向しているため、各球体はソケットケースの筒部内周側へ突出している。ソケット部を本体ケースに装着する際は、まず、ロックバネの付勢力に抗してリング部材を摺動させて、大径部を各貫通孔に対向させる。これにより、ソケットケースの各貫通孔に支持された各球体が筒部外周側へ移動可能となる。この状態を保持しつつソケットケースの筒部を本体ケースの他端側に挿入していくと、ソケットケースの各貫通孔に支持された各球体は筒部内周側から没して筒部外周側へ移動することにより、各球体によって規制されることなく円滑に外嵌することができる。そして、ソケットケース側に支持された各球体が本体ケースの他端側の外周面に設けられた凹状の係止部に対向する位置でリング部材の保持を解除してリング部材をロックバネの弾発力により元の位置に復帰させる。すると、リング部材の小径部が各貫通孔に対向するので、各球体はソケットケースの筒部内周側へ移動し、本体ケースの係止部内に突出して係止される。一方、ソケット部を本体ケースから取り外す際は、ロックバネの付勢力に抗してリング部材を他方の軸心方向へ摺動させて大径部を各貫通孔に対向させると、ソケットケースの各貫通孔に支持された各球体が筒部外周側へ移動可能となるため、この状態でソケット部を引き抜くことにより、本体ケースの係止部による係止が解除されて取り外すことができる。従って、簡単な構造でソケット部を本体部に対して簡単且つ確実にロックすることができると共に、容易にロックの解除を行うことができる。
【００１０】
２．前記ソケットケースの前記筒部に、前記貫通孔が複数個設けられたことを特徴とする手段１に記載の非常停止用押釦スイッチ。
【００１１】
手段２によれば、ソケットケースの筒部に貫通孔が複数個設けられているので、ソケットケースが複数箇所で本体ケースに係止されることによって、より強固にロックすることができる。
【００１２】
３．前記ソケットケースの前記筒部に、前記貫通孔が周方向に等角度間隔で複数個設けられたことを特徴とする手段２に記載の非常停止用押釦スイッチ。
【００１３】
手段３によれば、ソケットケースの筒部に貫通孔が周方向に等角度間隔で複数個設けられているので、ソケット部を本体部に対してガタツキ無く強固にロックすることができる。
【００１４】
４．前記リング部材の外周面に、把持する際の滑り止めのための凹凸形状を設けたことを特徴とする手段１乃至３のいずれかに記載の非常停止用押釦スイッチ。
【００１５】
手段４によれば、リング部材の外周面に、把持する際の滑り止めのための凹凸形状を設けたので、リング部材を確実に把持しバネの付勢力に抗して摺動させることができる。
【発明の効果】
【００１６】
本発明によれば、簡単な構造でソケット部を本体部に対して簡単且つ確実にロックすることができると共に、容易にロックの解除を行うことができる。
【発明を実施するための最良の形態】
【００１７】
以下、本発明を具体化した非常停止用押釦スイッチの一実施形態について図面を参照しつつ説明する。図１は、スイッチ部３０の接点が「閉」とされた通常状態における非常停止用押釦スイッチ１の要部を縦断して示す側面図である。図２は、押釦体５１が押し込まれる途中の状態における非常停止用押釦スイッチ１の要部を縦断して示す側面図である。図３は、押釦体５１が前進端位置で保持されてスイッチ部３０の接点が「開」とされた非常停止状態における非常停止用押釦スイッチ１の要部を縦断して示す側面図である。図４は、押釦体５１が回転操作されて前進端位置から少し後退した瞬間の状態における非常停止用押釦スイッチ１の要部を縦断して示す側面図である。図５は、押釦体５１が後退位置に復帰する直前の状態における非常停止用押釦スイッチ１の要部を縦断して示す側面図である。
【００１８】
非常停止用押釦スイッチ１は、図１に示すように、スイッチ部３０を収容する本体部１０と、本体部１０の上端側にて軸心方向（図１の上下方向）に進退自在に設けられた押釦部５０と、本体部１０の下端側に着脱可能に装着されるソケット部７０とを備えている。
【００１９】
本体部１０は、中空状に形成された合成樹脂製の本体ケース１１を備えている。本体ケース１１は、上端側略半分が大径筒部１２となっており、下端側略半分が小径筒部１３となっている。大径筒部１２には、ステンレス鋼製のアウトサート１４が外嵌されている。小径筒部１３外周面の上端寄りの領域にはネジ部１３ａが形成されており、このネジ部１３ａには、非常停止用押釦スイッチ１をプレス装置等の装置側パネルに取付けるための取付け用ナット１５が螺合される。また、小径筒部１３外周面のネジ部１３ａが設けられていない下端寄りの領域には、ソケット部５０の後述するスチールボール７７を係止可能な係止孔１３ｂが周方向に９０度間隔で４箇所に形成されている。
【００２０】
スイッチ部３０は、合成樹脂製のスイッチケース３１を備えている。図６（ａ）は、スイッチケース３１を示す平面図であり、後述する固定接点３２、可動接点３４、導電板３５及びスイッチ可動軸３６を点線にて示している。また、図６（ｂ）は、スイッチケース３１を示す側面図である。図６に示すように、スイッチケース３１は、本体ケース１１の小径筒部１３の内径よりも僅かに小さい外径を有しており、上端側が開口する有底円筒状の可動軸収容部３１ａが等角度間隔で３箇所に形成されている。スイッチケース３１の上端側には、固定接点３２が下端側に向けて左右両端に設けられた固定端子片（図示せず）が、各々の可動軸収容部３１ａに中心が一致するように３箇所に設けられている。各可動軸収容部３１ａ内には、スイッチ可動軸３６が軸方向に摺動可能に収容される。また、スイッチケース３１の略中央には、ランプ端子４１が下端側に一部が突出するように取付けられている。
【００２１】
スイッチ可動軸３６は、略円柱形状の合成樹脂製ブロック体であり、スイッチ可動軸３６のほぼ中間位置には、左右一対の可動接点３４，３４が固定接点３２，３２の間隔に合わせて設けられた導電板３５を交差状に固定している。スイッチ可動軸３６は、下面側にバネ挿入溝３６ａが形成され、可動軸収容部３１ａの底部３１ｂとバネ挿入溝３６ａとの間に介装されたスイッチ復帰バネ３７により左右の可動接点３４を夫々対応する固定接点３２に対して弾接させる方向に付勢するように設けられている。尚、スイッチ復帰バネ３７が、本発明の第１バネを構成するものである。
【００２２】
押釦部５０は、合成樹脂製の押釦体５１を備え、押釦体５１は、本体ケース１１の軸心方向に進退自在に設けられている。この押釦体５１は、図１等に示すように、頭部５２の中心部に中空状の軸部５３を一体に形成し、頭部５２を大径筒部１２の外周面に遊嵌するように設けられ、頭部５２下面と本体ケース１１上部との間に介装された釦復帰バネ５８を介装している。そして、押釦体５１は、釦復帰バネ５８の弾発力により後述する外リング６０の大径部６０ｂの上端面６０ｇを本体ケース１１の内側端面に当接させることにより通常状態の後退位置に保持されるように設けられている。釦復帰バネ５８が、本発明の第２バネを構成するものである。
【００２３】
軸部５３内には銅製の外リング６０がリングナット５９を介して取付けられる。図７（ａ）は、外リング６０を示す縦断面図であり、同図（ｂ）は、その底面図である。外リング６０は、図７に示すように、略円筒状を呈し、上端側の小径部６０ａと、下端側の大径部６０ｂとを有している。また、大径部６０ｂ内周面の上端寄りの領域に全周に亘り凹部６０ｃが形成され、凹部６０ｃよりも下端側は凸部６０ｄとなっている。凸部６０ｄには、軸方向に延びる横断面Ｃ字状の溝部６０ｅが周方向に９０度間隔で４箇所に形成されている。溝部６０ｅ内の深さは、凹部６０ｃの深さと同一であり、溝部６０ｅの上端側の端部には溝内凸部６０ｆが形成されている。
【００２４】
外リング６０内には下端側からＬＥＤホルダ５４が挿入され、ＬＥＤホルダ５４内にはＬＥＤ５５が保持されている。軸部５３の上端側の開口には、赤色に着色された透明樹脂からなるレンズ５６が、パッキン５６ａを介して嵌め込まれている。ＬＥＤホルダ５４内周面とスイッチケース３１との間には、接点導電バネ５４ａが介挿されている。ＬＥＤ５５は、押釦体５１が押し込まれてＬＥＤホルダ５４が下降することにより端子５５ａがランプ端子４１に弾接した状態で通電されて点灯する。作業者は、ＬＥＤ５５の点灯を視認することにより、押釦体５１が前進端位置で保持されてスイッチ部３０の接点が「開」とされた非常停止状態であることを認識することができる。
【００２５】
ＬＥＤホルダ５４の外周面にはラッチバネ６１が介挿され、さらに、軸方向略中央から下端にかけて銅製の内リング６２が外嵌する。図８（ａ）は、内リング６２の平面図であり、同図（ｂ）は内リング６２を縦断して示す側面図である。図８に示すように、内リング６２は、略円筒状を呈し、上端側の小径部６２ａと、下端側の大径部６２ｂとを有し、小径部６２ａの内周面全体と大径部６２ｂ下端部内周面とがＬＥＤホルダ５４外周面に嵌合している。また、大径部６２ｂの外周面には、全周に亘って突起部６２ｃが形成されている。
【００２６】
内リング６２の大径部６２ｂと外周側に位置する外リング６０の大径部６０ｂとの間には空間が形成されており、この空間内に銅製の中間リング６３が下端側から挿入される。図９（ａ）は、中間リング６３を縦断して示す側面図であり、同図（ｂ）はその底面図である。図９に示すように、中間リング６３は、略円筒状を呈し、上端近傍にはスチールボール６４の外径よりも僅かに大きい内径を有して内周面と外周面との間を貫通するボール支持孔６３ａが、周方向に９０度間隔で４箇所に形成されている。スチールボール６４は、公知の軸受用鋼球であり、各ボール支持孔６３ａ内に各１個のスチールボール６４が収容される。尚、スチールボール６４の直径は、各ボール支持孔６３ａにおける中間リング６３の厚さよりも大きく設定されている。また、中間リング６３の下端にはフランジ部６３ｂが設けられ、フランジ部６３ｂを本体ケース１１の下端部内周面に係合することによって中間リング６３が本体ケース１１に対して固定される。
【００２７】
ソケット部７０は、複数の端子が適宜配設された端子台７１を有し、本体ケース１１の小径筒部１３に挿入することにより固定されるように設けられている。このソケット部７０を本体ケース１１に取付けた状態では、スイッチ部３０の図示しない固定端子片の先端部がバネ性を有する接触片７５ｅに挿入されるように設けられていて、両者は圧接された状態にて通電可能とされるように構成されている。具体的には、ソケット部７０は、端子台７１と、ソケットケース７５と、ソケットリング７８とを主要部として構成される。尚、ソケットリング７８が、本発明のリング部材を構成するものである。
【００２８】
端子台７１は、略直方体状の合成樹脂製ブロック体であり、下端側に複数の端子金具７２が取付けられ、上端側に各端子金具７２に導通された４極基板７３が取付けられている。また、端子台７１の下端側には、複数の端子金具７２を覆う合成樹脂製のカバー７４が着脱可能に取付けられる。
【００２９】
ソケットケース７５は、上端側が開口する有底円筒状の合成樹脂製ブロック体である。図１０（ａ）は、ソケットケース７５の平面図であり、同図（ｂ）は、その側面図である。ソケットケース７５は、本発明の筒部に相当する円筒部７５ａと、底部７５ｂとを有し、底部７５ｂ側が端子台７１の上端側に固定される。円筒部７５ａの上端近傍には、内周面と外周面との間を貫通するボール支持孔７５ｃが、周方向に９０度間隔で４箇所に形成されている。ボール支持孔７５ｃの内径は、内周面側の開口ではスチールボール７７の外径よりも僅かに小さく、それ以外はスチールボール７７の外径よりも僅かに大きく設定されている。スチールボール７７は、公知の軸受用鋼球であり、各ボール支持孔７５ｃ内に各１個のスチールボール７７が収容される。尚、スチールボール７７の直径は、ボール支持孔７５ｃにおける円筒部７５ａの厚さよりも大きく設定されている。底部７５ｂには、スイッチケース３１の可動軸収容部３１ａを受容可能な円筒孔７５ｄが３箇所に形成されると共に、スイッチケース３１の下端面から突出する複数の端子片の先端部が挿入されるバネ性を有する接触片７５ｅが設けられている。ボール支持孔７５ｃが本発明の貫通孔を、スチールボール７７が球体をそれぞれ構成するものである。
【００３０】
ソケットリング７８は、略円筒状のアルミニウム製部材である。図１１（ａ）は、ソケットリング７８を示す平面図であり、同図（ｂ）はその縦断面図である。ソケットリング７８は、内径がソケットケース７５の外径よりも僅かに大きく設定され、下端側に全周に亘りバネ挿入溝７８ａが設けられている。ソケットリング７８内周面は、上端近傍が内径の大きい大径部７８ｂとなっており、大径部７８ｂよりも下端側は内径が相対的に小さく且つソケットケース７５外径よりも僅かに大きく設定された小径部７８ｃとなっている。ソケットリング７８は、ソケットケース７５の外周面に摺動可能に外嵌し、ソケットケース７５の下端突起部７５ｇとバネ挿入溝７８ａとの間に介装されたソケットロックバネ７９により軸心方向上方へ付勢され、ソケットケース７５の上端突起部７５ｆにて係止される。尚、ソケットロックバネ７９が、本発明のロックバネを構成するものである。
【００３１】
次に、非常停止用押釦スイッチ１のプレス装置等への取付け方法について図１２乃至図１４を参照しつつ説明する。尚、非常停止用押釦スイッチ１は、押釦部５０が本体部１０に組付けられて予め一体化されており、取付け用ナット１５及びソケット部７０は、本体部１０から分離されているものとする。図１２（ａ）は、本体部１０及び押釦部５０の装置側パネルＰへの取付けを示す説明図であり、同図（ｂ）は、取付け前におけるソケット部７０の要部を縦断して示す側面図である。図１３は、ソケット部７０の本体部１０への取付けを示す説明図である。図１４は、ソケット部７０の本体部１０へのロックが完了した状態を示す説明図である。
【００３２】
まず、図１２（ａ）に示すように、装置側パネルＰに設けられた取付け孔Ｈに、取付けパッキン１５ａを介して本体部１０の小径筒部１３を挿入し、この状態で、取付け用ナット１５を小径筒部１３の外周面に下端側から挿通し、ネジ部１３ａに螺合することにより、押釦部５０が組付けられた本体部１０が装置側パネルＰに固定される。続いて、図１３に示すように、ソケットリング７８をソケットロックバネ７９の付勢力に抗して押し下げた状態に保持しつつ、ソケットケース７５を本体ケース１１の小径筒部１３に位置合わせして押しこむ。そして、図１４に示すように、ソケットリング７８の押し下げ保持を解除すると、ソケットロックバネ７９の弾発力によってソケットリング７８が元の上端位置に復帰してソケット部７０の本体部１０へのロックが完了する。
【００３３】
ここで、ソケットケース７５がソケットリング７８を介して本体ケース１１に対してロックされる様子について、より詳細に説明する。ソケット部７０を本体部１０から取り外した状態で、ソケットリング７８は、図１２（ｂ）に示すように、ソケットリングロックバネ７９により上方へ付勢され且つ上端突起部７５ｆに係止されてソケットケース７５の上端側に位置している。この状態では、ソケットケース７５の上端近傍に設けられたボール支持孔７５ｃの外周面側開口がソケットリング７８内周面によって塞がれ、スチールボール７７の一部分がソケットケース７５の内周面側へ突出している。
【００３４】
ソケットリング７８をソケットロックバネ７９の付勢力に抗して押し下げると、図１３に示すように、ボール支持孔７５ｃの外周面側開口にソケットリング７８の内周面が対向するため、スチールボール７７はボール支持孔７５ｃを外周方向へ移動可能となる。この状態で、ソケットケース７５を本体ケース１１の小径筒部１３へ挿入していくと、小径筒部１３外周面がスチールボール７７に当接して、スチールボール７７がボール支持孔７５ｃ内を外周側へ移動してソケットケース７５内周面から没した状態となるため、ソケットケース７５を小径筒部１３へ奥まで挿入することができる。
【００３５】
続いて、ソケットリング７８の押し下げ保持を解除すると、図１４に示すように、ソケットリング７８はソケットロックバネ７９の弾発力によって元のソケットケース７５上端位置に復帰する。この時、ソケットリング７８内周面がスチールボール７７に当接し、スチールボール７７はボール支持孔７５ｃ内を内周側へ移動してソケットケース７５内周面から小径筒部１３の係止孔１３ｂ内へ突出して係止される。このようにして、ソケットケース７５と本体ケース１１とのロックが完了する。
【００３６】
次に、非常停止用押釦スイッチ１の作動及び操作について、図１乃至図５を参照しつつ説明する。
【００３７】
（１）図１に示すように、押釦スイッチ１の押釦体５１は、押釦体５１は、復帰バネ５８の弾発力により外リング６０の大径部６０ｂの上端面６０ｇを本体ケース１１の内側端面に当接させることにより通常状態の後退位置に保持される。この通常状態においては、複数の固定接点３２に対して夫々対応する可動接点３４がスイッチ復帰バネ３７の弾発力により接触しているので、スイッチ部３０の接点は「閉」の状態（オン状態）に保持される。
【００３８】
（２）非常停止時に押釦体５１を押し込むと、内リング６２の突起部６２ｃがスチールボール６４に当接してラッチバネ６１が収縮していく。押釦体５１が押し込まれて内リングが所定位置に到達すると、図２に示すように、内リング６２の突起部６２ｃが、中間リング６３のボール支持孔６３ａにて内周面側に突出したスチールボール６４によりラッチバネ６１の付勢力に抗して係止される。押釦体５１がさらに押し込まれると、外リング６０の凹部６０ｃが中間リング６３のボール支持孔６３ａに対向する位置関係となり、内リング６２の突起部６２ｃによって当接されたスチールボール６４が外周方向へ移動して中間リング６３内周面側より没する。これにより、スチールボール６４による内リング６２の係止が解除される。この瞬間に、内リング６２及びＬＥＤホルダ５４がラッチバネ６１の弾発力によって一挙に前進移動し、内リング６２の先端部がスイッチ可動軸３６を押圧して下降させる。これにより、可動接点３４が固定接点３２から開離するので、スイッチ部３０の接点は「開」の状態（オフ状態）となる。
【００３９】
（３）スチールボール６４は、図３に示すように、内リング６２の突起部６２ｃに押圧されて中間リング６３のボール支持孔６３ａ内を外周方向へ移動し、外リング６０の凹部６０ｃ内に一部分が入り込んで外リング６０を係止する。従って、外リング６０が取付けられる押釦体５１は、前進端位置にて保持される。
【００４０】
（４）（３）の前進端位置に保持された非常停止状態において、押釦体５１を右方向に回転操作させることにより、スチールボール６４が外リング６０の凹部６０ｃから外れるので、押釦体５１は釦復帰バネ５８の弾発力によって元の後退位置に復帰する。より詳細には、押釦体５１及びこれに固定された外リング６０を右方向に回転操作させることにより、外リング６０の溝部６０ｅがスチールボール６４位置に到達すると、スチールボール６４と凸部６０ｄ上端面との係合が解除される。そして、図４に示すように、スチールボール６４が、溝部６０ｅ上端の溝内凸部６０ｆを乗り越えるときに、一旦、ボール支持孔６３ａ内を内周方向へ移動して中間リング６３内周面に一部分を突出させることにより、内リング６２の突起部６２ｃを上端側で係止する。つまり、スチールボール６４が溝内凸部６０ｆに乗り上げている間、内リング６２の軸方向位置が保持される。スチールボール６４は、溝内凸部６０ｆを乗り越えると、図５に示すように、突起部６２ｃにより押圧されて再びボール支持孔６３ａ内を外周側へ移動し、中間リング６３内周面から没して突起部６２ｃとの係合が解除され、内リング６２はラッチバネ６１の弾発力によって元の後退位置に復帰する。
【００４１】
（５）そして、内リング６２が後退位置に復帰することによってスイッチ可動軸３６の押圧が解除され、可動接点３４はスイッチ復帰バネ３７の弾発力により固定接点３２に対して瞬間的に接触させるので、図１に示すように、スイッチ部３０の接点は再び「閉」の状態に保持される。
【００４２】
以上詳述したことから明らかなように、本実施形態によれば、ソケット部７０は、本体ケース１１の小径筒部１３に外嵌すると共に内外周を貫通する４個のボール支持孔７５ｃを設けた円筒部７５ａを有するソケットケース７５と、各ボール支持孔７５ｃ内にてそれぞれ支持され、各ボール支持孔７５ｃにおける円筒部７５ａの厚さよりも大きい直径を有する４個のスチールボール７７と、ソケットケース７５の円筒部７５ａに摺動可能に外嵌する小径部７８ｃと小径部７８ｃよりも内径が大きい大径部７８ｂとを有するソケットリング７８と、ソケットケース７５とそれに外嵌するソケットリング７８との間に介挿され、小径部７８ｃを各ボール支持孔７５ｃに対向させるように軸心方向上方へ付勢するソケットロックバネ７９とを備え、本体ケース１１は、ソケットケース５の円筒部７５ａが外嵌したときに各スチールボール７７を係止する係止孔１３ｂを小径筒部１３の外周面に設けている。
【００４３】
ここで、ソケット部７０は、本体ケース１１に装着する前の状態において、ソケットケース７５に外嵌するソケットリング７８は、ソケットロックバネ７９によって付勢されて小径部７８ｃがソケットケース７５の円筒部７５ａ外周側で各ボール支持孔７５ｃに対向し、各スチールボール７７はソケットケース７５の円筒部７５ａ内周側へ突出している。よって、ソケット部７０を本体ケース１１に装着する際は、ソケットロックバネ７９の付勢力に抗してソケットリング７８を軸心方向下方へ摺動させて、大径部７８ｂを各ボール支持孔７５ｃに対向させることにより、ソケットケース１１の各ボール支持孔７５ｃに支持された各スチールボール７７が円筒部７５ａ外周側へ移動可能となるので、この状態を保持しつつソケットケース７５の円筒部７５ａを本体ケース１１の小径筒部１３に挿入していくと、ソケットケース７５の各ボール支持孔７５ｃに支持された各スチールボール７７は円筒部７５ａ内周側から没して外周側へ移動することにより、各スチールボール７７によって規制されることなく円滑に外嵌することができる。
【００４４】
そして、ソケットケース７５側に支持された各スチールボール７７が本体ケース１１の小径筒部１３外周面に設けられた係止孔１３ｂに対向する位置でソケットリング７８の保持を解除してソケットリング７８をソケットロックバネ７９の弾発力により元の位置に復帰させると、ソケットリング７８の小径部７８ｃが各ボール支持孔７５ｃに対向するので、各スチールボール７７はソケットケース７５の円筒部７５ａ内周側へ移動し、本体ケース１１の係止孔１３ｂ内に突出して係止され、ソケット部７０のロックが完了する。
【００４５】
一方、ソケット部７０を本体ケース１１から取り外す際は、ソケットロックバネ７９の付勢力に抗してソケットリング７８を軸心方向下方へ摺動させて大径部７８ｂを各ボール支持孔７５ｃに対向させると、ソケットケース７５の各ボール支持孔７５ｃに支持された各スチールボール７７が円筒部７５ａ外周側へ移動可能となるため、この状態でソケットケース７５を本体ケース１１側から引き抜くことにより、本体ケース１１の係止孔１３ｂによる係止が解除されて取り外しを行うことができる。
【００４６】
従って、本実施形態によれば、簡単な構造でソケット部７０を本体部１０に対して簡単且つ確実にロックすることができると共に、容易にロックを解除して取り外すことができる。
【００４７】
また、ソケットケース７５の円筒部７５ａにボール支持孔７５ｃが周方向に等角度間隔で複数個（４個）設けられているので、ソケット部７０を本体部１０に対してガタツキ無く強固にロックすることができる。
【００４８】
さらに、ソケットリング７８の外周面に、把持する際の滑り止めのための凹凸形状を設けたので、ソケットリング７８を作業者が確実に把持し、ソケットロックバネ７９の付勢力に抗して摺動させることができる。
【００４９】
尚、本発明は上述した実施の形態に限定されるものではなく、本発明の主旨を逸脱しない範囲で種々の変更を施すことが可能である。例えば、各部材の材質、形状、サイズ等を要求される仕様に応じて適宜変更して実施することができる。
【００５０】
また、ソケットケース７５に設けられるボール支持孔７５ｃは４個に限られず、これより多くてもよく、少なくても構わない。さらに、本体ケース１１の小径筒部１３外周面に設けられた係止孔１３ｂは、孔状のものに限られず、スチールボール７７を係止可能な凹状であればよい。
【産業上の利用可能性】
【００５１】
本発明は、様々な自動機械やプレス装置等の安全運転のために電気回路に使用される非常停止用押釦スイッチにおいて、ソケット部を本体部に対するロックを簡単且つ確実にすることがが必要な場合に適用可能である。
【図面の簡単な説明】
【００５２】
【図１】スイッチ部の接点が「閉」とされた通常状態における本発明の一実施形態の非常停止用押釦スイッチを縦断して示す側面図である。
【図２】押釦体が押し込まれる途中の状態における非常停止用押釦スイッチの要部を縦断して示す側面図である。
【図３】押釦体が前進端位置で保持されてスイッチ部の接点が「開」とされた非常停止状態における非常停止用押釦スイッチの要部を縦断して示す側面図である。
【図４】押釦体が回転操作されて前進端位置から少し後退した瞬間の状態における非常停止用押釦スイッチの要部を縦断して示す側面図である。
【図５】押釦体が後退位置に復帰する直前の状態における非常停止用押釦スイッチの要部を縦断して示す側面図である。
【図６】（ａ）はスイッチケースを示す平面図であり、（ｂ）はその側面図である。
【図７】（ａ）は外リングを示す縦断面図であり、（ｂ）はその底面図である。
【図８】（ａ）は内リングを示す平面図であり、（ｂ）はその縦断面図である。
【図９】（ａ）は中間リングを示す縦断面図であり、（ｂ）はその平面図である。
【図１０】（ａ）はソケットケースを示す平面図であり、（ｂ）はその側面図である。
【図１１】（ａ）はソケットリングを示す平面図であり、（ｂ）はその縦断面図である。
【図１２】（ａ）は本体部及び押釦部の装置側パネルへの取付けを示す説明図であり、（ｂ）は取付け前におけるソケット部の要部を縦断して示す側面図である。
【図１３】ソケット部の本体部への取付けを示す説明図である。
【図１４】ソケット部の本体部へのロックが完了した状態を示す説明図である。
【図１５】従来の非常停止用押釦スイッチの一例を示す縦断側面図である。
【符号の説明】
【００５３】
１    非常停止用押釦スイッチ
１０    本体部
１１    本体ケース
１３    小径筒部
１３ｂ  係止孔
３０    スイッチ部
３２    固定接点
３４    可動接点
３６    スイッチ可動軸
３７    スイッチ復帰バネ（第１バネ）
５０    押釦部
５１    押釦体
５８    釦復帰バネ（第２バネ）
７０    ソケット部
７１    端子台
７５    ソケットケース
７５ａ  円筒部（筒部）
７５ｃ  ボール支持孔（貫通孔）
７７    スチールボール（球体）
７８    ソケットリング（リング部材）
７８ｂ  大径部
７８ｃ  小径部
７９    ソケットロックバネ（ロックバネ）
【図１】
2008052957.tif 000003
【図２】
2008052957.tif 000004
【図３】
2008052957.tif 000005
【図４】
2008052957.tif 000006
【図５】
2008052957.tif 000007
【図６】
2008052957.tif 000008
【図７】
2008052957.tif 000009
【図８】
2008052957.tif 000010
【図９】
2008052957.tif 000011
【図１０】
2008052957.tif 000012
【図１１】
2008052957.tif 000013
【図１２】
2008052957.tif 000014
【図１３】
2008052957.tif 000015
【図１４】
2008052957.tif 000016
【図１５】
2008052957.tif 000017